(57)【要約】【課題】エレベーターの利用者がベビーカー等の手押し車に乗せた乳幼児を連れている場合であっても、乳幼児に必要な目的場所までの移動をスムーズに行う。【解決手段】エレベーターの乗りかご内情報表示装置１００は、エレベーター２の乗りかご５内に設けられた所定の情報を表示する情報表示部１５と、情報表示部１５に表示する情報を格納する表示情報格納部４２と、乗りかご５内に手押し車１１に乗せられた乳幼児１２がいるか否かを検出する乳幼児検出部４３と、乳幼児検出部４３で検出された乳幼児の状態を判定する状態判定部４４と、状態判定部４４で判定された乳幼児１２の状態に応じて、表示情報格納部４２から情報表示部１５に表示する情報を決定する表示情報決定部４１と、を備える。【選択図】図２
2017124915.tif 000002
【特許請求の範囲】
【請求項１】
エレベーターの乗りかご内に設けられた所定の情報を表示する情報表示部と、
前記情報表示部に表示する情報を格納する表示情報格納部と、
前記乗りかご内に手押し車に乗せられた乳幼児がいるか否かを検出する乳幼児検出部と、
前記乳幼児検出部で検出された乳幼児の状態を判定する状態判定部と、
前記状態判定部で判定された乳幼児の状態に応じて、前記表示情報格納部から前記情報表示部に表示する情報を決定する表示情報決定部と、
を備えたエレベーターの乗りかご内情報表示装置。
【請求項２】
前記乗りかご内の音声を記録する音声記録部を備え、前記状態判定部は、前記音声記録部で記録した音声に基づいて、前記乗りかご内の乳幼児の状態を判定する
請求項１に記載のエレベーターの乗りかご内情報表示装置。
【請求項３】
前記乗りかご内を撮影する撮像部を備え、前記状態判定部は、前記撮像部で撮影した画像に基づいて、前記乗りかご内の乳幼児の状態を判定する
請求項１または請求項２に記載のエレベーターの乗りかご内情報表示装置。
【請求項４】
前記表示情報決定部は、昇降路内の乗りかごの位置に基づいて、前記情報表示部に表示する情報を決定する
請求項１に記載のエレベーターの乗りかご内情報表示装置。
【請求項５】
さらに、前記表示情報格納部に格納する情報を変更する情報変更部と、を備えた
請求項１に記載のエレベーターの乗りかご内情報表示装置。
【請求項６】
前記乳幼児検出部は、前記手押し車から発信される識別信号に基づいて前記乳幼児がいるか否かを検出する
請求項１に記載のエレベーターの乗りかご内情報表示装置。
【請求項７】
昇降路内を昇降する乗りかごを備えたエレベーターシステムであって、
前記乗りかご内に設けられた所定の情報を表示する情報表示部と、
前記情報表示部に表示する情報を格納する表示情報格納部と、
前記乗りかご内に手押し車があるか否かを検出する乳幼児検出部と、
前記乗りかご内の乳幼児の状態を判定する状態判定部と、
前記状態判定部で判定された乳幼児の状態に応じて、前記表示情報格納部から前記情報表示部に表示する情報を決定する表示情報決定部と、
を備えたエレベーターシステム。
【発明の詳細な説明】
【技術分野】
【０００１】
本発明は、ベビーカー等の手押し車に乗せた乳幼児を連れたエレベーターの利用者に必要な情報を提供するエレベーターの乗りかご内情報表示装置およびエレベーターシステムに関する。
【背景技術】
【０００２】
一般に、乳幼児を連れてショッピングセンター等に出かけた場合には、個人が所有するベビーカーや、ショッピングセンターが貸し出しをするショッピングカート又はベビーカー等の手押し車を使用する。しかし、ベビーカー等の手押し車は空間を占める容積が大きく、エレベーターの乗降を含めたショッピングセンター内の移動に苦労するという問題があった。
【０００３】
この問題を解決するために、特許文献１には、常時固有の識別番号を発信し続けると共に、エレベーターの乗りかごの呼び寄せと行先階を指定する遠隔呼びを発する遠隔操作装置を利用者に携行させる技術が記載されている。この特許文献１の技術によれば、乗場センサーとエレベーター乗りかご内センサーによって遠隔操作装置の情報を捕捉し、エレベーター乗りかごの呼び登録や行先階の登録を行うことで、ベビーカー等に乗せた乳幼児を連れている利用者の乗り場ボタン等の操作を省略して、エレベーターの乗降をスムーズに行うことができる。
【先行技術文献】
【特許文献】
【０００４】
【特許文献１】特開２００５−１７８９２７号公報
【発明の概要】
【発明が解決しようとする課題】
【０００５】
しかしながら、特許文献１の技術では、ベビーカー等に乗せた乳幼児を連れたエレベーターの利用者は、エレベーターの乗降をスムーズに行うことができたとしても、例えば乳幼児向けのトイレに行きたい際に、乳幼児向けのトイレがない階に降りてしまう場合がある。この場合には、ベビーカーを折りたたみ階段を利用して目的の階まで移動したり、再びエレベーターが来るのを待って目的の階まで移動したりしなければならないという問題が生じてしまう。
【０００６】
本発明の目的は、上記の問題点を考慮し、エレベーターの利用者がベビーカー等の手押し車に乗せた乳幼児を連れている場合であっても、乳幼児に必要な目的場所までの移動をスムーズに行うことができるエレベーターの乗りかご内情報表示装置およびエレベーターシステムを提供することにある。
【課題を解決するための手段】
【０００７】
上記課題を解決し、本発明の目的を達成するため、本発明のエレベーターの乗りかご内情報表示装置は、エレベーターの乗りかご内に設けられた所定の情報を表示する情報表示部と、情報表示部に表示する情報を格納する表示情報格納部と、乗りかご内に手押し車に乗せられた乳幼児がいるか否かを検出する乳幼児検出部と、乳幼児検出部で検出された乳幼児の状態を判定する状態判定部と、状態判定部で判定された乳幼児の状態に応じて、表示情報格納部から情報表示部に表示する情報を決定する表示情報決定部と、を備える。
【０００８】
また、本発明のエレベーターシステムは、乗りかご内に設けられた所定の情報を表示する情報表示部と、情報表示部に表示する情報を格納する表示情報格納部と、乗りかご内に手押し車があるか否かを検出する乳幼児検出部と、乗りかご内の乳幼児の状態を判定する状態判定部と、状態判定部で判定された乳幼児の状態に応じて、表示情報格納部から情報表示部に表示する情報を決定する表示情報決定部と、を備える。
【発明の効果】
【０００９】
本発明のエレベーターの乗りかご内情報表示装置およびエレベーターシステムによれば、エレベーターの利用者がベビーカー等の手押し車に乗せた乳幼児を連れている場合であっても、乳幼児に必要な目的場所までの移動をスムーズに行うことができる。
【図面の簡単な説明】
【００１０】
【図１】本発明の実施の形態例にかかるエレベーターの断面図である。
【図２】本発明の実施の形態例にかかるエレベーターの乗りかご内情報表示装置およびエレベーターシステムの制御系統の一部を模式的に示す図である。
【図３】本発明の実施の形態例にかかる表示情報格納部に格納されている表示コンテンツの一例を示す図である。
【図４】本発明の第１の実施形態に係るエレベーターの乗りかご内情報表示装置の動作を示すフローチャートである。
【図５】本発明の第２の実施形態に係るエレベーターの乗りかご内情報表示装置の動作を示すフローチャートである。
【図６】本発明の第３の実施形態に係るエレベーターの乗りかご内情報表示装置の動作を示すフローチャートである。
【図７】本発明の第４の実施形態に係るエレベーターの乗りかご内情報表示装置の動作を示すフローチャートである。
【図８】本発明の第５の実施形態に係るエレベーターの乗りかご内情報表示装置の動作を示すフローチャートである。
【図９】本実施形態例に係る２Ｆ、４Ｆ、６Ｆにおむつ替えのスペースがある６階建てのショッピングセンターの概略図である
【発明を実施するための形態】
【００１１】
以下、本発明の実施の形態について、図１ないし図９を参照して説明する。
図１は、本発明の実施形態に係るエレベーターの断面図である。
【００１２】
図１に示すように、エレベーター１は、各階に設けられた乗り場３（ホール）と、昇降路４内を昇降動作する乗りかご５および釣合いおもり６を備える。昇降路４の上方に、機械室７が設けられている。この機械室７には、例えば巻上機８や図示しないエレベーター制御装置が設置されている。
【００１３】
巻上機８には、乗りかご５と釣合いおもり６が釣瓶式に連結されたメインロープ１０が巻き掛けられている。巻上機８のモーターが駆動されることで、乗りかご５が昇降路４内を昇降動作する。
【００１４】
次に、本発明の実施形態に係るエレベーター１の乗りかご内情報表示装置１００およびエレベーターシステム２００について説明する。
図２は、本発明の実施の形態に係るエレベーター１の乗りかご内情報表示装置１００およびエレベーターシステム２００の制御系統の一部を模式的に示す図である。
【００１５】
図２に示すように、エレベーターの乗りかご５には、手押し車であるベビーカー１１に乳幼児１２を乗せた利用者１３が搭乗している。ベビーカー１１には、乳幼児１２が乗っていることを示す固有の識別信号を常時発信する発信機１４が装着されている。発信機１４は、ベビーカー１１を使用する利用者１３がショッピングセンターに入場する際に、ショッピングセンターから貸与されて、ベビーカー１１に装着する。また、発信機１４は、ショッピングセンターが貸し出しするショッピングカート等に、予め埋め込まれている場合もある。
【００１６】
エレベーターの乗りかご５の内側壁には、エレベーターの利用者１３が行き先階を指定するための行き先ボタン１６が設けられている。
また、エレベーターの乗りかご５の内側壁には、情報表示部である液晶インジケーター１５が設けられている。液晶インジケーター１５には、エレベーターの運転方向や、到着階、行先階が表示される。また、本実施形態の液晶インジケーター１５には、後述するように、ベビーカー１１に乗せられた乳幼児１２に必要な情報が表示される。
【００１７】
また、乗りかご５の天井部５ａには、発信機１４から発信される識別信号を受信するためのセンサー２１、乗りかご内の音声を集める集音マイク２２、乗りかご内の映像を記録するカメラ２３が設けられている。
【００１８】
図２に示すように、エレベーター制御装置３０は、運転制御部３１を備えている。
運転制御部３１は、エレベーター１の運転（すなわち乗りかご５の運転）を制御する。運転制御部３１は、乗り場呼びがあったときに、呼びがあった乗り場３へ乗りかご５を向かわせる。また、乗りかご５内の行先ボタン１６が操作されたとき、運転制御部３１は、利用者１３の目的階へ乗りかご５を向かわせる。なお、運転制御部３１は、伝送回路５２を介して、後述する表示情報制御装置４０の表示情報決定部４１に接続されている。
【００１９】
図２に示すように、表示情報制御装置４０は、表示情報決定部４１、表示情報格納部４２、乳幼児検出部４３、泣き声判定部４４、泣き顔判定部４５を備えている。
【００２０】
表示情報決定部４１には、伝送回路５４を介して、表示情報格納部４２が接続されている。表示情報格納部４２には、液晶インジケーター１５で表示される情報として複数の表示コンテンツが格納されている。表示情報決定部４１は、液晶インジケーター１５に表示させる情報を、表示情報格納部４２に格納されている情報から選択し決定する。
【００２１】
表示情報決定部４１には、伝送経路５１を介して、乗りかご５に設置された液晶インジケーター１５が接続されており、液晶インジケーター１５は、表示情報決定部４１で決定された情報を表示する。
【００２２】
図３に、表示情報格納部４２に格納されている表示コンテンツの一例を示す。
図３Ａは、１階の特設会場で行われている乳幼児向けのイベントの開催案内を示すものである。
図３Ｂは、２階フロアの授乳室とおむつ替えスペースの場所と、２階フロアのエレベーター乗り場から授乳室およびおむつ替えスペースまでの経路を示すものである。
図３Ｃは、６階フロアの授乳室とおむつ替えスペースの場所と、６階フロアのエレベーター乗り場から授乳室およびおむつ替えスペースまでの経路を示すものである。
なお、表示情報格納部４２に格納されている表示コンテンツは、泣いている状態の乳幼児向けの情報と、泣いていない状態の乳幼児向けの情報に大別される。
【００２３】
また、表示情報格納部４２には、伝送回路５６およびインターネット４７を介して、情報変更部４６が接続されている。
【００２４】
情報変更部４６は、情報変更部４６に接続された、例えば、エレベーターを所有するショッピングセンターが保有するパソコンや、エレベーターの管理を行うエレベーター保守会社が保有する監視装置を介して、表示情報格納部４２に格納されている表示コンテンツの内容を変更する。
また、情報変更部４６は、表示情報決定部４１における液晶インジケーター１５に表示させる情報の決定条件を変更することもできる。
【００２５】
表示情報格納部４２に格納された表示コンテンツの内容を変更する具体例としては、例えば、エレベーターを使用する建物の全体地図を追加したり、期間が終了したイベントの開催案内を削除したりする場合がある。また、表示情報決定部４１における液晶インジケーター１５に表示させる情報の決定条件を変更する具体例としては、例えば、泣き声判定部４４の判定に基づいて液晶インジケーター１５に情報を表示させる設定から、泣き声判定部４４および泣き顔判定部４５の判定の双方に基づいて液晶インジケーター１５に情報を表示させる設定に変更するような場合がある。なお、情報変更部４６により、液晶インジケーター１５に表示させる情報の組合せの設定変更や、夜間時には液晶インジケーター１５による表示を中止する等の設定を行うこともできる。
【００２６】
表示情報決定部４１には、伝送回路５５を介して、乳幼児検出部４３、泣き声判定部４４、泣き顔判定部４５が接続されている。
【００２７】
乳幼児検出部４３は、乗りかご内にベビーカー等の手押し車があるか否かを検出し、乗りかご内に乳幼児がいるか否かを検出する。
乳幼児検出部４３には、乗りかご５の天井５ａに取り付けられたセンサー２１が接続されている。センサー２１には、ベビーカー等に装着された発信機１４から発信される識別信号を受信する受信機が設けられている。センサー２１の受信機が識別信号を受信すると、乗りかご内にベビーカー等が存在し、乳幼児が乗りかごに搭乗した旨の信号が乳幼児検出部４３に送られる。そして、乳幼児検出部４３において、乗りかご内にベビーカー等に乳幼児を乗せた利用者１３が搭乗してきたことが検知される。乳幼児検出部４３が、乗りかご内に乳幼児１２がいることを検知した場合には、乳幼児が乗りかご内にいる旨の信号が表示情報決定部４１へ送られる。
【００２８】
泣き声判定部４４は、乗りかご内のベビーカー等に乗せられた乳幼児１２が泣いている状態か否かを判定する。
泣き声判定部４４には、乗りかご５の天井５ａに取り付けられた集音マイク２２が接続されている。集音マイク２２が記録した乗りかご内の音声は、泣き声判定部４４へ送られる。泣き声判定部４４では、集音マイク２２から送られてきた音声の周波数と、予め泣き声判定部４４に記憶されている泣き声のサンプル周波数との比較（類似度判定）を行い、乗りかご内の乳幼児１２が泣いている状態か否かの判定が行われる。泣き声判定部４４が、乗りかご内の乳幼児１２が泣いている状態と判定した場合には、乳幼児が泣いている旨の信号が表示情報決定部４１へ送られる。また、泣き声判定部４４が、乗りかご内の乳幼児１２が泣いていない状態と判定した場合には、乳幼児が泣いていない旨の信号が表示情報決定部４１へ送られる。
【００２９】
なお、集音マイク２２に記録された音声レベルが一定時間所定のレベルを上回った際に、ベビーカー等に乳幼児１２を乗せた利用者１３が乗りかご内に搭乗してきたと判定するようにして、泣き声判定部４４に乳幼児検出部としての役割を持たせるようにしてもよい。
【００３０】
泣き顔判定部４５は、乗りかご内のベビーカー等に乗せられた乳幼児１２が泣いているか否かを判定する。
泣き顔判定部４５には、乗りかご５の天井５ａに取り付けられたカメラ２３が接続されている。カメラ２３が記録した乗りかご内の画像は、泣き顔判定部４５へ送られる。泣き顔判定部４５では、例えば、カメラ２３から送られてきた画像から顔部分の画像を取りだしてパターン認識処理を行い、予め泣き顔判定部４５に記憶されている泣き顔のサンプル画像との比較（類似度判定）を行い、乗りかご内の乳幼児１２が泣いている状態か否かの判定が行われる。泣き顔判定部４５が、乗りかご内の乳幼児１２が泣いている状態と判定した場合には、乳幼児が泣いている旨の信号が表示情報決定部４１へ送られる。また、泣き顔判定部４５が、乗りかご内の乳幼児１２が泣いていない状態と判定した場合には、乳幼児が泣いていない旨の信号が表示情報決定部４１へ送られる。
【００３１】
表示情報決定部４１は、泣き声判定部４４または泣き顔判定部４５から乳幼児が泣いている旨の信号を受信した場合には、表示情報格納部４２に格納されている表示コンテンツから泣いている状態の乳幼児向けのコンテンツを選択決定し、液晶インジケーター１５に情報として表示する。また、泣き声判定部４４または泣き顔判定部４５から乳幼児が泣いていない旨の信号を受信した場合には、表示情報格納部４２に格納されている表示コンテンツから泣いていない状態の乳幼児向けのコンテンツを選択決定し、液晶インジケーター１５に情報として表示する。
【００３２】
［第１の実施形態］
以下、図４〜図９を参照して、エレベーターシステム２００に適用されたエレベーターの乗りかご内情報表示装置１００の動作の一例について説明する。
図４は、本発明の第１の実施形態に係るエレベーター１の乗りかご内情報表示装置１００の動作を示すフローチャートである。
【００３３】
図４に示すように、本実施の形態例では、乳幼児検出部４３において、乗りかご内の乳幼児の検出の有無（ステップＳ１１）が行われ、乗りかご内に乳幼児がいることが検出された場合（Ｓ１１のＹＥＳ）には、泣き声判定部４４において、乗りかご内の乳幼児の泣き声に基づき、ベビーカー１１に乗せられた乳幼児が泣いている状態か否かの判定が行われる（ステップＳ１２）。なお、ステップＳ１１における乗りかご内の乳幼児の検出の有無に関わらず、乗りかご内の乳幼児の泣き声に基づく判定（ステップＳ１２）に移行される場合もある。
【００３４】
ステップＳ１１において、乗りかご内に乳幼児がいることが検出されなかった場合（Ｓ１１のＮＯ）は、引き続き乗りかご内における乳幼児の検出が行われる。なお、ステップＳ１１の乗りかご内の乳幼児の検出は、乗りかご呼びボタンの登録がされた場合に行われる。
【００３５】
ステップＳ１２において、乗りかご内の乳幼児が泣いている状態と判定された場合（Ｓ１２のＹＥＳ）には、表示情報決定部４１において、泣いている状態の乳幼児のために必要な情報、例えば、おむつ替えスペースの場所が記された地図を液晶インジケーター１５に表示する（ステップＳ１３）。一方、ステップＳ１２において、乗りかご内の乳幼児が泣いていない状態と判定された場合（Ｓ１２のＮＯ）には、表示情報決定部４１において、泣いていない状態の乳幼児のために必要な情報、例えば、特設会場で行われているイベントの案内を、液晶インジケーター１５に表示する（ステップＳ１４）。
【００３６】
また、一定時間経過後に、液晶インジケーター１５に表示した情報をＯＦＦするようにしてもよい。
【００３７】
このように、本実施形態のエレベーターの乗りかご内情報表示装置１００によれば、乗りかご内のベビーカー等に乗せられた乳幼児の存在を検知し、ベビーカー等に乗せられた乳幼児の状態に応じて、乳幼児１２を連れた利用者１３に最適な情報を提供することができる。
【００３８】
［第２の実施形態］
次に、本発明の第２の実施形態に係るエレベーターシステム２００に適用されたエレベーターの乗りかご内情報表示装置１００の動作の一例について、図５を参照して説明する。
【００３９】
図５は、本発明の第２の実施形態に係るエレベーターの乗りかご内情報表示装置１００の動作を示すフローチャートである。なお、ステップＳ１１〜Ｓ１３は、上記第１の実施形態と同様であるので詳しい説明は省略する。
【００４０】
本実施の形態例では、ステップＳ１２において、乗りかご内の乳幼児の泣き声に基づき、ベビーカーに乗せられた乳幼児が泣いている状態か否かの判定が行われた後、乗りかご内の乳幼児の泣き顔に基づいて、ベビーカーに乗せられた乳幼児が泣いている状態か否かの判定が行われる（ステップＳ１５）。
【００４１】
ステップＳ１５において、乗りかご内の乳幼児が泣いている状態と判定された場合（Ｓ１５のＹＥＳ）には、表示情報決定部４１において、泣いている状態の乳幼児のために必要な情報、例えば、おむつ替えスペースの場所が記された地図を、液晶インジケーター１５に表示する（ステップＳ１６）。なお、すでに、ステップＳ１３において、液晶インジケーター１５におむつ替えスペースの場所が記された地図が表示されている場合には、ステップＳ１６における情報の表示を省略してもよい。
【００４２】
一方、ステップＳ１５において、乗りかご内の乳幼児が泣いていない状態と判定された場合（ステップ１５のＮＯ）には、ステップＳ１２およびステップＳ１５において、ベビーカー等に乗せられた乳幼児が泣いていない状態と判定されていたか否かの判定が行われる（ステップＳ１７）。なお、ステップＳ１７の判定は、表示情報制御装置４０内で行われる。
【００４３】
ステップＳ１７において、ステップＳ１２およびステップＳ１５において、乗りかご内の乳幼児が泣いていない状態と判定されていた場合（Ｓ１７のＹＥＳ）には、表示情報決定部４１において、泣いていない状態の乳幼児に必要な情報、例えば、特設会場で行われているイベントの案内を、液晶インジケーター１５に表示する（ステップＳ１８）。
【００４４】
このように、本実施形態のエレベーターの乗りかご内情報表示装置１００によれば、乗りかご内のベビーカー等に乗せられた乳幼児の状態を判定する際に、乳幼児の泣き声に基づく判定に加え、乳幼児の泣き顔に基づく判定を追加したので、泣き声または泣き顔に基づくいずれかの判定に不具合が生じた場合であっても、乳幼児１２を連れた利用者１３に対して必要な情報を、液晶インジケーター１５に確実に表示させることができる。
【００４５】
［第３の実施形態］
次に、本発明の第３の実施形態に係るエレベーターシステム２００に適用されたエレベーターの乗りかご内情報表示装置１００の動作の一例について、図６を参照して説明する。
【００４６】
図６は、本発明の第３の実施形態に係るエレベーターの乗りかご内情報表示装置１００の動作を示すフローチャートである。なお、ステップＳ１６’を除いた他のステップは、上記第２の実施形態と同様であるので詳しい説明は省略する。
【００４７】
本実施の形態例では、ステップＳ１２において、乗りかご内の乳幼児の泣き声に基づき、ベビーカーに乗せられた乳幼児が泣いている状態か否かの判定が行われた後、乗りかご内の乳幼児の泣き顔に基づいて、ベビーカーに乗せられた乳幼児が泣いている状態か否かの判定が行われる（ステップＳ１５）。
【００４８】
ステップＳ１５において、乗りかご内の乳幼児が泣いている状態と判定された場合（Ｓ１５のＹＥＳ）には、表示情報決定部４１は、ステップＳ１３で表示した情報とは異なるコンテンツを、液晶インジケーター１５に表示する。ここでは、泣いている状態の乳幼児に必要な情報として、例えば、アニメーションの画像を表示する（ステップＳ１６‘）。なお、液晶インジケーター１５にアニメーションの画像を表示すると同時に、乗りかご内に乳幼児が喜びそうな音楽を流すようにしてもよい。
【００４９】
本実施の形態例では、ステップＳ１７において、ステップＳ１２およびステップＳ１５に基づいて、乗りかご内の乳幼児が泣いている状態と判定されていた場合（ステップＳ１７のＮＯ）には、液晶インジケーター１５には、上記第２の実施形態とは異なる表示がなされる。すなわち、ステップＳ１２で泣き声に基づいて乳幼児が泣いている状態と判定され（Ｓ１２のＹＥＳ）、ステップＳ１５で泣き顔に基づいて乳幼児が泣いていない状態と判定されている場合（Ｓ１５のＮＯ）には、液晶インジケーター１５には、おむつ替えスペースの場所が記された地図のみが表示される（ステップＳ１３）。また、ステップＳ１２で乳幼児が泣いていない状態と判定され（Ｓ１２のＮＯ）、ステップＳ１５で乳幼児が泣いている状態と判定されている場合（Ｓ１５のＹＥＳ）は、液晶インジケーター１５には、アニメーションの画像のみが表示される（ステップＳ１６’）。また、ステップＳ１２およびステップＳ１５の双方で乳幼児が泣いている状態と判定されている場合（Ｓ１２のＹＥＳおよびＳ１５のＹＥＳ）は、液晶インジケーター１５には、おむつ替えスペースの場所が記された地図（ステップＳ１３）およびアニメーションの画像（ステップＳ１６’）の双方が表示される。
【００５０】
このように、本実施形態のエレベーターの乗りかご内情報表示装置１００では、乗りかご内の乳幼児の状態を判定するため、泣き声に基づく判定とは異なる判断基準である泣き顔に基づく判定を追加することにより、液晶インジケーター１５に表示させる情報のバリエーションを増やすことができる。
【００５１】
［第４の実施形態］
次に、本発明の第４の実施形態に係るエレベーターシステム２００に適用されたエレベーターの乗りかご内情報表示装置１００の動作の一例について、図７を参照して説明する。
【００５２】
図７は、本発明の第４の実施形態に係るエレベーターの乗りかご内情報表示装置１００の動作を示すフローチャートである。なお、ステップＳ２０〜Ｓ２２は、上記第１の実施形態のＳ１１〜Ｓ１３と同様であるので、詳しい説明は省略する。
【００５３】
図７に示すように、ステップＳ２１において、乗りかご内の乳幼児の泣き声に基づいて、乗りかご内の乳幼児が泣いている状態と判定された場合（Ｓ２１のＹＥＳ）には、ステップＳ２２において、乗りかご内の乳幼児の泣き顔に基づいて、乳幼児が泣いている状態か否かの判定を行う。
【００５４】
ステップＳ２１において、乗りかご内の乳幼児が泣いていない状態と判定された場合（Ｓ２１のＮＯ）には、表示情報決定部４１は、泣いていない状態の乳幼児に必要な情報、例えば、屋上等に設置されている遊技施設の場所が記された地図を、液晶インジケーター１５に表示する（ステップＳ２３）。
【００５５】
ステップＳ２２において、乗りかご内の乳幼児が泣いている状態と判定された場合（Ｓ２２のＹＥＳ）には、表示情報決定部４１は、泣いている状態の乳幼児に必要な情報、例えば、アニメーションの画像を液晶インジケーター１５に表示する（ステップＳ２４）。一方、ステップＳ２２において、乗りかご内の乳幼児が泣いていない状態と判定された場合（Ｓ２２のＮＯ）には、表示情報決定部４１は、泣いている状態の乳幼児に必要な情報、例えば、授乳室の場所が記された地図を、液晶インジケーター１５に表示する（ステップＳ２５）。すなわち、乗りかご内の乳幼児が泣いている場合において、異なる判定基準に基づいて、泣いている状態の乳幼児に必要な情報を、液晶インジケーター１５に表示することができる。
【００５６】
なお、本実施の形態では、ステップＳ２１において乳幼児の泣き声に基づく判定を先に行ったが、泣き顔に基づく判定を先に行うようにしてもよい。
【００５７】
このように、本実施形態のエレベーターの乗りかご内情報表示装置１００によれば、泣き顔に基づく判定で表示する情報と、泣き顔に基づく判定で表示する情報とを組み合わせることにより、液晶インジケーター１５に表示する情報のバリエーションを増やすことができる。
【００５８】
［第５の実施形態］
次に、本発明の第５の実施形態に係るエレベーターシステム２００に適用されたエレベーターの乗りかご内情報表示装置１００の動作の一例について、図８及び図９を参照して説明する。
【００５９】
図８は、本発明の第５の実施形態に係るエレベーターの乗りかご内情報表示装置１００の動作を示すフローチャートである。なお、ステップＳ１０をのぞいた他のステップは、上記第１の実施形態と同様であるので詳しい説明は省略する。
【００６０】
図８に示すように、本実施の形態例では、ステップＳ１１を実施する前に、エレベーター１の昇降路４内における乗りかご５の位置および乗りかご５の走行方向の検出を行う（ステップＳ１０）。なお、ステップＳ１０の検出は、エレベーター制御装置３０および表示情報制御装置４０内で行う。
【００６１】
図９は、２Ｆ、４Ｆ、６Ｆにおむつ替えのスペースがある６階建てのショッピングセンターの概略図である。
【００６２】
図９Ａは、昇降路４内における乗りかご５の位置が３Ｆであり、乗りかご５の移動方向が上向きの場合を示す。この場合、ステップＳ１０において、昇降路４内における乗りかご５の位置が３Ｆにあり、乗りかご５の移動方向は上向きであることが検出される。
【００６３】
次に、ステップＳ１１において、乗りかご内の乳幼児の検出の有無が行われ、乗りかご内に乳幼児がいることが検出された場合（Ｓ１１のＹＥＳ）には、ステップＳ１２において、乗りかご内の乳幼児の泣き声に基づき、乗りかご内の乳幼児が泣いている状態か否かの判定が行われる。ステップＳ１２において、乗りかご内の乳幼児が泣いている状態と判定された場合（Ｓ１２のＹＥＳ）には、表示情報決定部４１は、ステップＳ１０で検出された乗りかご５の情報に基づいて、液晶インジケーター１５に、４Ｆおよび６Ｆのおむつ替えスペースの位置が表示された地図を表示する（ステップＳ１３）。
【００６４】
図９Ｂは、昇降路４内における乗りかご５の位置が５Ｆであり、乗りかご５の移動方向が下向きの場合を示す。この場合、ステップＳ１０において、昇降路４内における乗りかご５の位置が５Ｆにあり、乗りかごの移動方向は下向きと検知される。
【００６５】
次に、ステップＳ１１において、乗りかご内の乳幼児の検出の有無が行われ、乗りかご内に乳幼児がいることが検出された場合（Ｓ１１のＹＥＳ）には、ステップＳ１２において、乗りかご内の乳幼児の泣き声に基づき、乗りかご内の乳幼児が泣いている状態か否かの判定が行われる。ステップＳ１２において、乗りかご内の乳幼児が泣いている状態と判定された場合（Ｓ１２のＹＥＳ）には、表示情報決定部４１は、ステップＳ１０で検出された乗りかご５の情報に基づいて、液晶インジケーター１５に、２Ｆおよび４Ｆのおむつ替えスペースの位置が表示された地図を表示する（ステップＳ１３）。
【００６６】
本実施の形態例では、液晶インジケーター１５に乗りかご５の行き先方向にある階のおむつ替えスペースの地図を全て表示するようにしたが、乗りかご５の最寄りの階にあるおむつ替えスペースの地図のみを表示させるようにしてもよい。
【００６７】
本実施の形態のエレベーターの乗りかご内情報表示装置１００によれば、エレベーター１の乗りかご５の位置および移動方向を考慮して、液晶インジケーター１５に必要な情報を表示するので、乳幼児１２を連れた利用者１３に最適な情報を提供することができる。
【００６８】
なお、本発明は上述しかつ図面に示した実施の形態に限定されるものではなく、特許請求の範囲に記載した発明の要旨を逸脱しない範囲内で種々の変形実施が可能である。例えば、乗りかご内のベビーカー等に乗せられた乳幼児の状態を判定できるものであれば、状態判定部はいかなる構成であってもよい。
【符号の説明】
【００６９】
１…エレベーター、３…乗り場、５…乗りかご、１１…ベビーカー、１２…乳幼児、１３…利用者、１４…発信機、１５…液晶インジケーター、２１…センサー、２２…集音マイク、２３…カメラ、３０…エレベーター制御装置、３１…運転制御部、４０…表示情報制御装置、４１…表示情報決定部、４２…表示情報格納部、４３…乳幼児検出部、４４…泣き声判定部、４５…泣き顔判定部、４６…情報変更部、１００…乗りかご内情報表示装置、２００…エレベーターシステム
【図１】
2017124915.tif 000003
【図２】
2017124915.tif 000004
【図３】
2017124915.tif 000005
【図４】
2017124915.tif 000006
【図５】
2017124915.tif 000007
【図６】
2017124915.tif 000008
【図７】
2017124915.tif 000009
【図８】
2017124915.tif 000010
【図９】
2017124915.tif 000011